【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
生物学的アッセイのための検出強化要素であって、基板；該基板の少なくとも一つの面上の、少なくとも一つのナノキャビティを含む金属層；及び該少なくとも一つのナノキャビティ内のキャプチャー分子；を含む検出強化要素。
【請求項２】
該基板が実質的に平面である、請求項１記載の検出強化要素。
【請求項３】
該金属層が金を含む、請求項１記載の検出強化要素。
【請求項４】
該少なくとも一つのナノキャビティが、サンプル中に存在する少なくとも一つの分析物の量を表すシグナルを強化するように構成されており、また、好ましくは、該金属層が、基板と共に用いられ、少なくとも一つのナノキャビティ内のキャプチャー分子と、少なくとも一つの分析物及び競合分子との結合を表示する蛍光シグナルを強化するように構成されていてもよい、請求項１記載の検出強化要素。
【請求項５】
該少なくとも一つのナノキャビティが、約１００ｎｍ〜約２００ｎｍの幅を有し、また、好ましくは該幅が直径であってよい、請求項１記載の検出強化要素。
【請求項６】
該少なくとも一つのナノキャビティが、他のナノキャビティから平均して約０．５μｍ〜約１μｍの間隔を置いて離れている、請求項１記載の検出強化要素。
【請求項７】
ａ）アレイ状に組織化された、複数個のナノキャビティを含む、またはｂ）該基板上にランダムに分布した、複数個のナノキャビティを含む、請求項１記載の検出強化要素。
【請求項８】
該少なくとも一つのナノキャビティが、増大した表面積特徴によって囲繞されている、請求項１記載の検出強化要素。
【請求項９】
ナノキャビティが、約２以上の係数で該シグナルを強化するように構成されており、また、好ましくは、ナノキャビティがａ）方形であってよく、そして、好ましくは、約１２５ｎｍの縁長さを有していてよく、あるいはｂ）三角形である、請求項４記載の検出強化要素。
【請求項１０】
該ナノキャビティが、約３以上の係数で該シグナルを強化するように構成されており、また、好ましくは、ナノキャビティが三角形であってよく、そして、好ましくは、約１７５ｎｍの縁長さを有していてよく、さらに好ましくは、該金属層が金を含んでいてよく、さらに好ましくは該金属層が約１００ｎｍの厚さを有しているか、あるいは約５０ｎｍから約１００ｎｍの厚さを有している、請求項４記載の検出強化要素。
【請求項１１】
該ナノキャビティが、約６以上の係数または約１２以上の係数でシグナルを強化するように構成される、請求項４記載の検出強化要素。
【請求項１２】
生物学的アッセイのための検出強化要素であって、基板；該基板の少なくとも一つの面上の、複数個のナノ粒子を含む金属層；及び該ナノ粒子上のキャプチャー分子；を含む検出強化要素。
【請求項１３】
生物学的アッセイに用いるための装置であって、基板；該基板の少なくとも一つの面上の、複数個のナノキャビティを含む金属層；及び該複数個のナノキャビティ内のキャプチャー分子；を含む装置。
【請求項１４】
ａ）該複数個のナノキャビティに暴露された、該基板の少なくとも一つの面の領域に、該キャプチャー分子の少なくとも一部が固定されている、またはｂ）該キャプチャー分子の少なくとも一部が、該複数個のナノキャビティ内の金属層の表面に固定されている、請求項１３記載の装置。
【請求項１５】
該複数個のナノキャビティのうちのナノキャビティが、サンプル中に存在する少なくとも一つの分析物の量を表すシグナルを強化するように構成されており、好ましくは、該金属層が、該金属基板のナノキャビティ内のキャプチャー分子と、少なくとも一つの分析物及び競合分子との結合を表示する蛍光シグナルを強化するように構成されていてもよい、請求項１３記載の装置。
【請求項１６】
該基板がａ）石英またはｂ）金を含む、請求項１３記載の装置。
【請求項１７】
該複数個のナノキャビティが増大した表面積特徴によって囲繞されている、請求項１３記載の装置。
【請求項１８】
バイオ分子アッセイに用いるための装置であって、基板；該基板の少なくとも一つの面上の、複数個のナノ粒子を含む金属層；及び該ナノ粒子上のキャプチャー分子；を含む装置。
【請求項１９】
バイオ分子アッセイを組み立てるための方法であって、基板を形成する工程；該基板の少なくとも一つの面上に金属フィルムを沈着させる工程；該金属フィルム内に複数個のナノキャビティを形成し、該ナノキャビティの少なくとも一部には該基板の少なくとも一つの面上の対応する面積を露出させる工程；及び該複数個のナノキャビティの少なくともナノキャビティ中にキャプチャー分子を導入する工程を含む方法。
【請求項２０】
バイオ分子アッセイの金属フィルム内に形成されたナノキャビティ中にサンプル若しくはサンプル溶液を導入する工程；バイオ分子アッセイの基板中に少なくとも一つの波長の電磁線を導入し、該電磁線の少なくとも一部を該基板内で内部反射させる工程；該ナノキャビティからの、サンプル中に存在する少なくとも１種類の分析物の存在若しくは量を表す、少なくとも一つの強化シグナルを検出する工程を含むバイオ分子アッセイ方法。
【請求項２１】
バイオ分子アッセイに用いるための装置の設計方法であって、基板を構成する工程；該基板の少なくとも一つの面上に包含される金属層を構成する工程；及びサンプル中の分析物の量を表すシグナルを強化する複数個のナノキャビティを含める工程を含む方法。
【請求項２２】
該金属層を構成する工程が、該金属層を約１００ｎｍの厚さまたは約５０ｎｍから約１００ｎｍの厚さを有するように構成することをさらに含む、請求項２１記載の方法。
【請求項２３】
金属層を複数個のナノキャビティを含むように構成する工程が、該複数個のうちの少なくとも一つのナノキャビティを、約２以上の係数で該シグナルを強化するように構成することを含む、請求項２１記載の方法。
【請求項２４】
少なくとも一つのナノキャビティの構成が、該少なくとも一つのナノキャビティを、該シグナルを強化する形状を有するように構成し、好ましくは該シグナルを強化する寸法を有するように構成することをさらに含んでよい、請求項２３記載の方法。
【請求項２５】
少なくとも一つのナノキャビティの構成が、該少なくとも一つのナノキャビティを、約３以上の係数で該シグナルを強化するように構成し、好ましくは、該少なくとも一つのナノキャビティを、形状において三角形であるように構成してよく、さらに好ましくは、該少なくとも一つのナノキャビティの辺を、それぞれ約１７５ｎｍの長さを有するように構成することを含んでよい、請求項２３記載の方法。
【請求項２６】
バイオ分子アッセイを組み立てる方法であって、
基板を形成する工程；
該基板の少なくとも一つの面上に金属フィルムを沈着させる工程；
該金属フィルム内に複数個のナノキャビティを形成し、該ナノキャビティの少なくとも一部には該基板の少なくとも一つの面上の対応する面積を露出させて、該複数個のうちの少なくとも一つのナノキャビティを、キャプチャー分子による分析物の結合を表すシグナルを約２以上の係数で強化するように構成する工程；及び
該複数個のナノキャビティのうちの少なくとも幾つかのナノキャビティ中にキャプチャー分子を導入する工程を含む方法。
【請求項２７】
バイオ分子アッセイ方法であって、
バイオ分子アッセイの金属フィルム内に形成されたナノキャビティ中にサンプル若しくはサンプル溶液を導入する工程；
バイオ分子アッセイの基板中に少なくとも一つの波長の電磁線を導入し、該電磁線の少なくとも一部を該基板内で内部反射させて、該金属フィルムとその中の少なくとも一つのアパーチャの構成が、サンプル中に存在する少なくとも１種類の分析物の存在を表すシグナルを約２以上の係数で増幅して、少なくとも一つの強化シグナルを発生させる工程；
該少なくとも一つの強化シグナルを検出する工程を含む方法。